(57)【特許請求の範囲】
【請求項１】
内部空間を通風路とし、かつ長方形状の開口を下流端に有する筒状体からなり、同筒状体について前記通風路周りの４つの壁部のうち前記開口の短辺を含むものが第１壁部とされ、長辺を含むものが第２壁部とされるリテーナと、
前記リテーナ内で前記長辺に沿う方向に延び、かつ前記短辺に沿う方向に互いに離間した状態で配列される３枚のフィンからなり、配列方向の両端に位置するフィンが一対の端フィンとされ、前記両端フィン間に位置するフィンが１枚の中間フィンとされ、前記中間フィン及び前記端フィンが、前記長辺に沿う方向についての両側に設けられた支軸においてそれぞれ前記第１壁部に傾動可能に支持されるフィン群と、
前記中間フィン及び前記端フィンにそれぞれ設けられた連結軸を連結し、前記中間フィンの前記支軸を支点とする傾動を前記端フィンに伝達する連結ロッドと
を備える空調用レジスタであって、
前記第１壁部において前記短辺に沿う方向に延び、前記端フィンにおける前記支軸の同方向への移動を許容する移動許容部と、
前記中間フィンの前記支軸に一体傾動可能に設けられ、前記端フィンの前記支軸に対し前記中間フィン側から当接するカム部材と、
前記カム部材の当接された前記支軸が、その当接位置よりも前記第２壁部側へ移動するのを規制する規制部と
をさらに備え、
前記カム部材の傾動に伴い、前記端フィンの前記支軸に対する前記カム部材の当接箇所が変化することにより、前記移動許容部における前記支軸の位置を変化させるようにし、
前記端フィンの前記支軸は、同端フィンの上流側の端部に設けられており、
前記カム部材は、前記端フィンの下流側の端部が前記第２壁部に近付く側へ同端フィンが傾動させられるとき、前記移動許容部について前記第２壁部から遠ざかった位置で前記支軸に当接し、前記端フィンの下流側の端部が前記第２壁部から遠ざかる側へ同端フィンが傾動させられるとき、前記移動許容部について前記第２壁部に近付いた箇所で前記支軸に当接することを特徴とする空調用レジスタ。
【請求項２】
内部空間を通風路とし、かつ長方形状の開口を下流端に有する筒状体からなり、同筒状体について前記通風路周りの４つの壁部のうち前記開口の短辺を含むものが第１壁部とされ、長辺を含むものが第２壁部とされるリテーナと、
前記リテーナ内で前記長辺に沿う方向に延び、かつ前記短辺に沿う方向に互いに離間した状態で配列される３枚のフィンからなり、配列方向の両端に位置するフィンが一対の端フィンとされ、前記両端フィン間に位置するフィンが中間フィンとされ、前記第１壁部に対して支軸により傾動可能に支持されるフィン群と、
前記フィンの各支軸より上流側に設けられた連結軸で各フィンを連結する連結ロッドと
を備える空調用レジスタであって、
前記中間フィンの支軸には、前記端フィンの支軸に当接するカム部材が一体傾動可能に設けられ、
前記第１壁部には、前記端フィンの支軸が前記短辺に沿う方向に移動することを許容する移動許容部が形成され、
前記カム部材が当接された前記端フィンの支軸は、規制部により前記第２壁部側へ移動することが規制され、
前記カム部材の傾動に伴い、前記端フィンの支軸に対する前記カム部材の当接箇所が変化することにより、前記端フィンの支軸は、前記移動許容部においてその位置を変化させることを特徴とする空調用レジスタ。
【請求項３】
前記中間フィンが前記第２壁部に平行にされたとき、前記カム部材は、下流側の端部が前記第２壁部に近付いた前記端フィンの前記支軸に対し、前記移動許容部について前記第２壁部に近付いた箇所で当接することで、前記端フィンを前記第２壁部に対し平行にするものである請求項１又は２に記載の空調用レジスタ。
【請求項４】
前記端フィン毎の前記規制部は、
前記リテーナの内壁面に設けられ、かつ前記端フィンの下流側の端部が当接される下流端被当接部と、
前記移動許容部の前記第２壁部側の端部に設けられ、かつ前記端フィンの前記支軸が当接される支軸被当接部と
を備え、前記端フィンの下流側の端部が前記第２壁部から離れる側へ同端フィンが傾動させられるときには、前記支軸被当接部にて前記支軸の移動を規制する一方、前記端フィンの下流側の端部が前記第２壁部に近付く側へ同端フィンが傾動させられるときには、前記下流端被当接部にて前記支軸の移動を規制するものである請求項１〜３のいずれか１つに記載の空調用レジスタ。
【請求項５】
前記カム部材には、前記各端フィンの前記支軸が挿通されるガイド孔が設けられており、
前記カム部材は、前記ガイド孔のうち前記第２壁部から遠い側の内壁面において、前記端フィンの前記支軸に対し前記中間フィン側から当接し、
前記カム部材は、前記ガイド孔のうち前記第２壁部に近い側の内壁面を前記規制部とし、前記第２壁部から遠い側の前記内壁面の当接された前記支軸が、その当接位置よりも前記第２壁部側へ移動するのを規制するものである請求項１〜３のいずれか１つに記載の空調用レジスタ。
【発明の詳細な説明】
【技術分野】
【０００１】
本発明は、空調装置等の空気の吹出口として用いられ、室内に吹き出す空気の向きを調整する空調用レジスタに関するものである。
【背景技術】
【０００２】
車室内において、前席の前方にはインストルメントパネルが配設されている。インストルメントパネルの車幅方向についての両端部、中央部等には、空気の吹出口が開口されている。これらの吹出口には、空調装置等からの空気の吹き出し方向を変更等するための空調用レジスタが組込まれている。
【０００３】
この空調用レジスタとしては、リテーナ、フィン群及び連結ロッドを備えるものが一般的である。リテーナは、内部空間を通風路とし、かつ矩形の開口を下流端に有する筒状体からなる。フィン群は、リテーナ内で例えば車幅方向に延び、かつ上下方向に互いに離間した状態で配列される複数枚のフィンからなる。各フィンは、車幅方向についての両側部に設けられた支軸において、リテーナの左右の壁部に傾動可能に支持される。連結ロッドは、各フィンの支軸とは異なる箇所に設けられた連結軸を連結し、いずれかのフィンの傾動を他のフィンに伝達する。この伝達により、複数枚のフィンが同期した状態で傾動する。
【０００４】
ところで、空調用レジスタについては、インストルメントパネル内に配置される他の機器の設置スペースを確保するために、リテーナの開口が横長の長方形状をなすものが求められる傾向にある。この空調用レジスタでは、リテーナについて通風路周りの４つの壁部のうち開口の短辺を含むものが第１壁部とされ、長辺を含むものが第２壁部とされる。フィン群は、配列方向の両端に位置する一対の端フィンと、両端フィン間に位置する中間フィンとからなる。両端フィン及び中間フィンの各々は、上記長辺に沿う方向についての両側部に支軸を有しており、これらの支軸において第１壁部に傾動可能に支持される。
【０００５】
ここで、リテーナの下流端の開口から吹き出される空気の指向性を向上させるためには、端フィンと中間フィンとを平行の関係を保ちながら傾動させることが望ましい。
一方で、隣り合うフィン間に空気の流路を確保するために、端フィンは、リテーナの第２壁部に接近した箇所で傾動されることが望ましい。
【０００６】
このような観点から、リテーナの下流端の開口については横長の長方形状としつつも、その開口の直上流についてはリテーナを、短辺に沿う方向（略上下方向）へ開口よりも大きくして、端フィンの傾動領域を確保するようにした空調用レジスタもある。しかし、この空調用レジスタでは、意匠性が高められるものの、インストルメントパネル内の他の機器の設置スペースを充分確保することが難しい。
【０００７】
そこで、中間フィンの傾動を両端フィンに伝達する機構について工夫することで、リテーナを大きくすることなく指向性の向上を図ろうとする試みが種々なされている。
その１つとして、特許文献１に記載された空調用レジスタがある。
【０００８】
図１３（Ａ）〜（Ｃ）は、この空調用レジスタにおいて、中間フィン８３及びその上下の端フィン８１，８２が第２壁部８５，８６に対し平行にされた状態を示している。この状態では、図１３（Ｂ）に示すように、第２ストレートリンク８９が端フィン８２の両端面と重なる。図１３（Ｃ）に示すように、第１ストレートリンク８７が端フィン８１の両端面と重なる。さらに、Ｕ字リンク９１が端フィン８２の両端面と重なる。図１３（Ｂ）に示すように、中間フィン８３の上流側軸８３Ａは、第２連結ロッド９２の穴部９２Ｐの下端に位置する。また、図１３（Ｃ）に示すように、中間フィン８３の軸８３Ｄは、第１連結ロッド８８の穴部８８Ｐの上端に位置する。
【０００９】
図１４（Ａ）〜（Ｃ）は、上記の状態から、中間フィン８３が、その上流側の端部がリテーナ８４の第２壁部８５から遠ざかる側（下側）へ傾動させられた状態を示している。この傾動に伴い、中間フィン８３の上流側軸８３Ａが同方向へ移動すると、第２連結ロッド９２も同方向へ押されて移動する。すると、図１４（Ｂ）に示すように、第２連結ロッド９２の軸受部９２Ａと連結する端フィン８１の上流側軸８１Ａが、同方向（下方）に引っ張られる。端フィン８１は、その下流側軸８１Ｂを中心に同方向（下方）に傾動する。すなわち、端フィン８１の上流側の端部は、リテーナ８４の第２壁部８５から遠ざかる側（下側）へ傾動する。
【００１０】
また、図１４（Ｂ）に示すように、第２連結ロッド９２の軸受部９２Ｂと連結する第２ストレートリンク８９の軸８９Ａも、同様に同方向（下方）に押されて移動する。この移動は、第２ストレートリンク８９の軸受部８９Ｂ及び同軸受部８９Ｂと連結する下流側軸８２Ｂを介して端フィン８２にも伝達される。この伝達により、同端フィン８２の下流側の端部は、同端フィン８２の上流側軸８２Ａを中心にリテーナ８４の下側の第２壁部８６から遠ざかる側（上側）へ傾動する。このように、中間フィン８３が、その上流側端部がリテーナ８４の上側の第２壁部８５から遠ざかる側（下側）へ傾動すると、端フィン８１，８２も同期して、中間フィン８３に対し平行な状態を保ちながら、同中間フィン８３と同じ側へ傾動する。
【００１１】
また、上述のように中間フィン８３が傾動する際、図１４（Ｃ）に示すように、アーム８３Ｃの先端の軸８３Ｄも同方向（下方）に移動する。この移動に伴い、中間フィン８３の軸８３Ｄは、第１連結ロッド８８の穴部８８Ｐに沿って移動する。すなわち、中間フィン８３の上記傾動が完了するまで、第１連結ロッド８８と、同第１連結ロッド８８に連結する第１ストレートリンク８７及びＵ字リンク９１とには、上記中間フィン８３の軸８３Ｄの移動による駆動力が伝達されない。従って、図１４（Ｃ）に示すように、上記傾動の際の第１連結ロッド８８、第１ストレートリンク８７及びＵ字リンク９１は、先の図１３（Ｃ）と同様の状態、すなわち、第２壁部８５，８６に平行となっている状態に維持される。
【００１２】
なお、上記図１３（Ａ）〜（Ｃ）の状態から、中間フィン８３が、その上流側の端部がリテーナ８４の下側の第２壁部８６から遠ざかる側（上側）に傾動させられると、空調用レジスタの各部は上記とは逆の動作を行なう。
【先行技術文献】
【特許文献】
【００１３】
【特許文献１】特開２００９−２４１６３７号公報
【発明の概要】
【発明が解決しようとする課題】
【００１４】
ところが、上記特許文献１に記載された空調用レジスタによれば、たしかにリテーナ８４を短辺に沿う方向（略上下方向）に大きくすることなく指向性の向上を図ることができるものの、部品点数が多く、構造が複雑となってしまう。
【００１５】
本発明は、このような実情に鑑みてなされたものであって、その目的は、リテーナを大きくすることなく指向性を向上させることのできる空調用レジスタを簡単な構造で実現することにある。
【課題を解決するための手段】
【００１６】
上記の目的を達成するために、請求項１に記載の発明は、内部空間を通風路とし、かつ長方形状の開口を下流端に有する筒状体からなり、同筒状体について前記通風路周りの４つの壁部のうち前記開口の短辺を含むものが第１壁部とされ、長辺を含むものが第２壁部とされるリテーナと、
前記リテーナ内で前記長辺に沿う方向に延び、かつ前記短辺に沿う方向に互いに離間した状態で配列される３枚のフィンからなり、配列方向の両端に位置するフィンが一対の端フィンとされ、前記両端フィン間に位置するフィンが１枚の中間フィンとされ、前記中間フィン及び前記端フィンが、前記長辺に沿う方向についての両側に設けられた支軸においてそれぞれ前記第１壁部に傾動可能に支持されるフィン群と、前記中間フィン及び前記端フィンにそれぞれ設けられた連結軸を連結し、前記中間フィンの前記支軸を支点とする傾動を前記端フィンに伝達する連結ロッドとを備える空調用レジスタであって、前記第１壁部において前記短辺に沿う方向に延び、前記端フィンにおける前記支軸の同方向への移動を許容する移動許容部と、前記中間フィンの前記支軸に一体傾動可能に設けられ、前記端フィンの前記支軸に対し前記中間フィン側から当接するカム部材と、前記カム部材の当接された前記支軸が、その当接位置よりも前記第２壁部側へ移動するのを規制する規制部と
をさらに備え、前記カム部材の傾動に伴い、前記端フィンの前記支軸に対する前記カム部材の当接箇所が変化することにより、前記移動許容部における前記支軸の位置を変化させるようにし、前記端フィンの前記支軸は、同端フィンの上流側の端部に設けられており、前記カム部材は、前記端フィンの下流側の端部が前記第２壁部に近付く側へ同端フィンが傾動させられるとき、前記移動許容部について前記第２壁部から遠ざかった位置で前記支軸に当接し、前記端フィンの下流側の端部が前記第２壁部から遠ざかる側へ同端フィンが傾動させられるとき、前記移動許容部について前記第２壁部に近付いた箇所で前記支軸に当接することを要旨とする。
【００１７】
上記の構成によれば、空調用レジスタでは、中間フィン及び端フィンの各々が支軸を支点として傾動可能である。これに加え、端フィンの支軸は、開口の短辺に沿う方向へ移動することを、第１壁部に設けられた移動許容部によって許容される。
【００１８】
ここで、中間フィン及び端フィンの各々に設けられた連結軸は、連結ロッドによって連結されている。また、端フィンの支軸に対しては、中間フィンの支軸に一体傾動可能に設けられたカム部材が、同中間フィン側から当接している。さらに、カム部材の当接された支軸が、その当接位置よりも第２壁部側へ移動することを規制部によって規制される。
【００１９】
そのため、上記連結ロッドを用いた連結、カム部材の当接、及び規制部の規制により、端フィンの支軸の移動許容部内での位置と端フィンの傾きとが決定される。中間フィンが傾動させられない限り、端フィンの支軸が、その決定された位置に保持され、また端フィンが、その決定された傾きに保持される。
【００２０】
従って、通風路を流れる空気は、隣り合うフィン間の流路を通過した後、開口から吹き出す。空気は、上記流路を通過する際にフィンによって向きを決定される。フィンが第２壁部に平行である場合には、空気は隣り合うフィン間でも第２壁部に平行に流れる。すなわち、空気は、フィン群よりも上流側での向きを維持しながら隣り合うフィン間を流れ、開口から第２壁部に平行に吹き出す。
【００２１】
中間フィンが支軸を支点として傾動させられると、その傾動は、連結軸及び連結ロッドを介して他の端フィンに伝達される。また、端フィンの支軸に対するカム部材の当接及び規制部の規制は、中間フィンの傾動に拘らず行なわれる。端フィンは、上記のように位置を決定された支軸を支点として、中間フィンに連動して中間フィンと同じ方向へ傾動させられる。そのため、通風路を流れる空気は、上記のように傾動させられたフィン間の流路を流れる過程で向きを変えられる。そして、空気は開口から上記の変えられた方向へ吹き出す。上記のように端フィンが中間フィンに連動して同中間フィンと同じ方向へ傾動させられることから、空気を狙いとする方向へ的確に吹き出させる（良好な指向性を確保する）ことが可能である。
【００２２】
また、上記のように、端フィンの支軸が、短辺に沿う方向へ延びる移動許容部内で移動可能であることから、同支軸を第２壁部に対し近付けたり遠ざけたりすることで、端フィンと第２壁部との間に同端フィンの作動領域を確保することが可能となり、リテーナを短辺に沿う方向へ大きくしなくてもすむ。
【００２３】
リテーナの下流端の開口が長方形状をなしていて、フィンの配列される空間がその配列方向に狭い。しかし、上記の構成によれば、フィンの数を風向き調整のために採り得る最小枚数である３枚としたことで、風向き調整機能を確保しつつ、隣り合うフィン間の間隔（流路）を効率よく大きくすることが可能である。
さらに、各端フィンは、その上流側の端部に設けられた支軸を支点として傾動する。また、その支軸は、移動許容部に沿って移動可能である。
そして、端フィンの下流側の端部が第２壁部に近付く側へ同端フィンが傾動させられるときには、カム部材が移動許容部について第２壁部から遠ざかった位置で支軸に当接する。そのため、端フィンは、その下流側の端部と上流側の支軸とが短辺に沿う方向へ大きく離れるような傾斜状態、この場合、下流側の端部が第２壁部に近付き、上流側の端部が同第２壁部から遠ざかった傾斜状態となる。
また、端フィンの下流側の端部が第２壁部から遠ざかる側へ同端フィンが傾動させられるときには、カム部材が移動許容部について第２壁部に近付いた位置で支軸に当接する。そのため、端フィンは、その下流側の端部と上流側の支軸とが短辺に沿う方向へ大きく離れるような傾斜状態、この場合、下流側の端部が第２壁部から遠ざかり、上流側の端部が第２壁部に近付いた傾斜状態となる。
請求項２に記載の発明は、内部空間を通風路とし、かつ長方形状の開口を下流端に有する筒状体からなり、同筒状体について前記通風路周りの４つの壁部のうち前記開口の短辺を含むものが第１壁部とされ、長辺を含むものが第２壁部とされるリテーナと、前記リテーナ内で前記長辺に沿う方向に延び、かつ前記短辺に沿う方向に互いに離間した状態で配列される３枚のフィンからなり、配列方向の両端に位置するフィンが一対の端フィンとされ、前記両端フィン間に位置するフィンが中間フィンとされ、前記第１壁部に対して支軸により傾動可能に支持されるフィン群と、前記フィンの各支軸より上流側に設けられた連結軸で各フィンを連結する連結ロッドとを備える空調用レジスタであって、前記中間フィンの支軸には、前記端フィンの支軸に当接するカム部材が一体傾動可能に設けられ、前記第１壁部には、前記端フィンの支軸が前記短辺に沿う方向に移動することを許容する移動許容部が形成され、前記カム部材が当接された前記端フィンの支軸は、規制部により前記第２壁部側へ移動することが規制され、前記カム部材の傾動に伴い、前記端フィンの支軸に対する前記カム部材の当接箇所が変化することにより、前記端フィンの支軸は、前記移動許容部においてその位置を変化させることを要旨とする。
【００２４】
請求項３に記載の発明は、請求項１又は２に記載の発明において、前記中間フィンが前記第２壁部に平行にされたとき、前記カム部材は、下流側の端部が前記第２壁部に近付いた前記端フィンの前記支軸に対し、前記移動許容部について前記第２壁部に近付いた箇所で当接することで、前記端フィンを前記第２壁部に対し平行にするものであることを要旨とする。
【００２５】
中間フィンが第２壁部に平行にされると、端フィンの下流側の端部が第２壁部に接近させられるとともに、同端フィンの支軸に対し、カム部材が移動許容部について第２壁部に近付いた箇所で当接する。そのため、中間フィンに加え、端フィンが第２壁部に対し平行又はそれに近い状態となる。空気は隣り合うフィン間の流路を、それらのフィンに沿って流れることで、第２壁部に対し平行に流れる。すなわち、空気は、フィン群よりも上流側での向きを維持しながら隣り合うフィン間の流路を流れる。そして、空気は、リテーナの下流端の開口から第２壁部に平行に吹き出す。
【００２９】
請求項４に記載の発明は、請求項１〜３のいずれか１つに記載の発明において、前記端フィン毎の前記規制部は、前記リテーナの内壁面に設けられ、かつ前記端フィンの下流側の端部が当接される下流端被当接部と、前記移動許容部の前記第２壁部側の端部に設けられ、かつ前記端フィンの前記支軸が当接される支軸被当接部とを備え、前記端フィンの下流側の端部が前記第２壁部から離れる側へ同端フィンが傾動させられるときには、前記支軸被当接部にて前記支軸の移動を規制する一方、前記端フィンの下流側の端部が前記第２壁部に近付く側へ同端フィンが傾動させられるときには、前記下流端被当接部にて前記支軸の移動を規制するものであることを要旨とする。
【００３０】
上記の構成によれば、端フィンの下流側の端部が第２壁部から離れる側へ同端フィンが傾動させられるときには、同端部がリテーナの内壁面に設けられた下流端被当接部から離れるが、移動許容部の第２壁部側の端部に設けられた支軸被当接部に対し、端フィンの支軸が当接する。この当接により、端フィンの支軸がそれ以上第２壁部側へ移動することを規制される。
【００３１】
また、端フィンの下流側の端部が第２壁部に近付く側へ同端フィンが傾動させられるときには、支軸が移動許容部の第２壁部側の端部の支軸被当接部から離れるが、同下流側の端部が上記下流端被当接部に当接する。この当接により、端フィンの支軸がそれ以上第２壁部側へ移動することを規制される。
【００３２】
このように、下流側の端部が第２壁部から遠ざかる側へ端フィンが傾動する場合と、同端部が第２壁部に近付く側へ端フィンが傾動する場合とで、すなわち、端フィンの傾動方向に応じて、下流端被当接部及び支軸被当接部について、支軸の移動を規制する規制部（被当接部）の種類が切替えられる。
【００３３】
請求項５に記載の発明は、請求項１〜３のいずれか１つに記載の発明において、前記カム部材には、前記各端フィンの前記支軸が挿通されるガイド孔が設けられており、前記カム部材は、前記ガイド孔のうち前記第２壁部から遠い側の内壁面において、前記端フィンの前記支軸に対し前記中間フィン側から当接し、前記カム部材は、前記ガイド孔のうち前記第２壁部に近い側の内壁面を前記規制部とし、前記第２壁部から遠い側の前記内壁面の当接された前記支軸が、その当接位置よりも前記第２壁部側へ移動するのを規制するものであることを要旨とする。
【００３４】
上記の構成によれば、カム部材のガイド孔に挿通されている支軸に対しては、そのガイド孔のうち第２壁部から遠い側の内壁面が中間フィン側から当接される。また、このように第２壁部から遠い側の内壁面が当接された支軸は、その当接位置よりも第２壁部側へ移動することを、ガイド孔のうち第２壁部に近い側の内壁面（規制部）によって規制される。
【００３５】
そのため、端フィンの支軸に対するカム部材（ガイド孔のうち第２壁部から遠い側の内壁面）の当接と、規制部（ガイド孔のうち第２壁部に近い側の内壁面）による規制と、上記連結ロッドを用いた連結とにより、端フィンの支軸の移動許容部内での位置と端フィンの傾きとが決定される。
【発明の効果】
【００３６】
本発明の空調用レジスタによれば、簡単な構造で、リテーナを大きくすることなく指向性を向上させることができる。
【図面の簡単な説明】
【００３７】
【図１】本発明を具体化した一実施形態における空調用レジスタが組込まれたセンタークラスタ及びその周辺箇所を示す部分正面図。
【図２】図１における一方の空調用レジスタを拡大して示す正面図。
【図３】空調用レジスタの側部の分解斜視図。
【図４】図３における下流側フィン群、傾動伝達機構等を拡大して示す分解斜視図。
【図５】中間フィン及び両端フィンの各支軸を通る面での空調用レジスタの側断面図。
【図６】中間フィンが第２壁部に対し平行にされた状態の空調用レジスタの側面図。
【図７】図６の空調用レジスタの内部構造を示す側断面図。
【図８】中間フィンが下流側ほど高くなるように傾斜させられた状態の空調用レジスタの側面図。
【図９】図８の空調用レジスタの内部構造を示す側断面図。
【図１０】中間フィンが下流側ほど低くなるように傾斜させられた状態の空調用レジスタの側面図。
【図１１】図１０の空調用レジスタの内部構造を示す側断面図。
【図１２】空調用レジスタの変形例を示す側面図。
【図１３】背景技術に係る空調用レジスタを説明する図であり、（Ａ）は要部の斜視図、（Ｂ）はリテーナの第１壁部、第１連結ロッド等を割愛して示す空調用レジスタの側面図、（Ｃ）はリテーナの第１壁部を割愛して示す空調用レジスタの側面図。
【図１４】図１３の状態から中間フィンが下流側ほど高くなるように傾斜させられた空調用レジスタを説明する図であり、（Ａ）は要部の斜視図、（Ｂ）はリテーナの第１壁部、第１連結ロッド等を割愛して示す空調用レジスタの側面図、（Ｃ）はリテーナの第１壁部を割愛して示す空調用レジスタの側面図。
【発明を実施するための形態】
【００３８】
以下、本発明を車両用の空調用レジスタに具体化した一実施形態について、図１〜図１１を参照して説明する。
なお、以下の記載においては、車両の進行方向（前進方向）を前方とし、後進方向を後方とし、高さ方向を上下方向として説明する。また、車両を後方から見た場合を基準として左、右を規定する。
【００３９】
図１に示すように、車室内において、車両の運転席及び助手席の前方にはインストルメントパネル１１が設けられ、その車幅方向（図１の左右方向）中央部にはセンタークラスタ１２が設けられている。センタークラスタ１２の上部には、ナビゲーションシステムにおけるディスプレイ装置の表示部１３が組込まれている。表示部１３は、操舵装置のハンドル（ステアリングホイール）１４の斜め左前方に位置している。
【００４０】
センタークラスタ１２の上部であって、表示部１３の直上には、一対の空調用レジスタ１５が車幅方向に並べられた状態で組込まれている。これらの空調用レジスタ１５の機能の１つに、空調装置から送られてきて車室内に吹き出される空気の向き（風向き）を調整することがある。
【００４１】
両空調用レジスタ１５を上記箇所に配置したのは、仮に表示部１３の両脇（車幅方向についての両側）に配置すると、次の現象が生ずるからである。（ｉ）ハンドル１４を握る運転者の腕に右側の空調用レジスタ１５から吹き出された空気が直接当たり、運転者に煩わしさを感じさせる。（ii）運転者の腕によって空気の流れが妨げられると、右側の空調用レジスタ１５から吹き出される空気が車室内を循環しにくくなる。
【００４２】
一方、図１において二点鎖線で示すように、空調用レジスタ１５として高さの高いものが用いられると、それに伴い、同図１において二点鎖線で示すようにインストルメントパネル１１の高さが高くなり、開放感が得られにくくなり、圧迫感や閉塞感を乗員に感じさせるおそれがある。
【００４３】
そこで、本実施形態では、図１において実線で示すように、空調用レジスタ１５として高さの低い薄型のものが用いられている。これに伴い、同図１において実線で示すように、センタークラスタ１２を含むインストルメントパネル１１の高さが低く抑えられている。
【００４４】
両空調用レジスタ１５は互いに略同一の構成を有している。図２及び図３に示すように、各空調用レジスタ１５は、リテーナ２０、下流側フィン群４０、傾動伝達機構５０及び上流側フィン群７０を備えている。次に、これら各部の構成について説明する。
【００４５】
＜リテーナ２０＞
リテーナ２０は、空調装置の通風ダクト（図示略）と、センタークラスタ１２に設けられた開口（図示略）とを繋ぐためのものであり、上流側部材２１及び下流側部材２２に分割されている。上流側部材２１及び下流側部材２２は、いずれも両端を開口してなる略方形の筒状体からなり、直列に配置されて、連結手段（図示略）により相互に連結されている。これらの上流側部材２１及び下流側部材２２の内部空間は空気の流路（以下「通風路２３」という）とされている。
【００４６】
図７に示すように、上流側部材２１における上流側の開口２１Ａは、通風ダクトからの空気の導入口を構成している。この開口２１Ａは、通風路２３に直交する断面と同一の形状を有しており、横長の長方形状をなしている。
【００４７】
下流側部材２２は、その下流端にベゼル２２Ａを有している。ベゼル２２Ａは、空調用レジスタ１５の意匠面を構成するものであり、上側ほど運転席及び助手席から遠ざかるように傾斜しており、横長の開口２４を有している。図２に示すように、この開口２４は、空調用レジスタ１５の実質的な吹き出し口を構成するものである。ここで、開口２４の各辺を区別するために、上下方向に延びる辺を「短辺Ａ」といい、左右方向に延びる辺を「長辺Ｂ」というものとする。
【００４８】
通風路２３は、リテーナ２０の４つの壁部によって取り囲まれている。これらの４つの壁部を区別するために、図６及び図７に示すように、開口２４の短辺Ａに対応するものを第１壁部２６，２７といい、長辺Ｂに対応するものを第２壁部２８，２９というものとする。通風路２３に直交する断面が横長の長方形状をなす本実施形態では、車幅方向（左右方向）に相対向する壁部が第１壁部２６，２７となり、上下方向に相対向する壁部が第２壁部２８，２９となる。
【００４９】
上流側部材２１と下流側部材２２とが連結された状態では、その上流側部材２１の下流端面と下流側部材２２の上流端面とが接合されている。各第１壁部２６，２７の上記接合部分であって、上下方向についての中央部には軸受部３１が設けられている（図５参照）。また、各第１壁部２６，２７には、上下一対の長孔５１，５２がそれぞれ設けられている。これらの長孔５１，５２については後述する。
【００５０】
＜下流側フィン群４０＞
下流側フィン群４０は、リテーナ２０内であって開口２４の上流側近傍で長辺Ｂに沿う方向（車幅方向）に延びる３枚の下流側フィンからなる。下流側フィン群４０及び下流側フィンは、特許請求の範囲におけるフィン群及びフィンにそれぞれ該当する。これらの下流側フィンは、いずれも通風路２３に沿う方向に所定の幅を有する偏平細長状に形成されており、短辺Ａに沿う方向（略上下方向）に互いに離間した状態で配列されている。
【００５１】
ここで、上記３枚の下流側フィンを区別するために、配列方向の上端に位置するものを端フィン４１といい、下端に位置するものを端フィン４２という。また、両端フィン４１，４２間に位置するものを中間フィン４３というものとする。上側の端フィン４１は、上側の第２壁部２８に接近した箇所に配置されている。また、下側の端フィン４２は、下側の第２壁部２９に接近した箇所に配置されている。
【００５２】
図４に示すように、中間フィン４３に関し、長辺Ｂに沿う方向についての両端面には支軸４５が設けられている。両支軸４５は、通風路２３に沿う方向については、上記端面の中間部分に設けられている。そして、各支軸４５は、前記軸受部３１により第１壁部２６，２７に対し回動可能に支持されている（図５〜図７参照）。中間フィン４３は、両支軸４５を支点として、短辺Ａに沿う方向（略上下方向）への傾動可能である。
【００５３】
また、上側の端フィン４１に関し、その長辺Ｂに沿う方向についての両端面には支軸４６が設けられている。両支軸４６は、通風路２３に沿う方向については、端フィン４１の上流側の端部に設けられていて、上述した長孔５１に係合されている。そのため、端フィン４１は、両支軸４６を支点として、短辺Ａに沿う方向（略上下方向）への傾動可能である。
【００５４】
同様に、下側の端フィン４２に関し、その長辺Ｂに沿う方向についての両端面には支軸４７が設けられている。両支軸４７は、通風路２３に沿う方向については、端フィン４２の上流側の端部に設けられていて、上述した長孔５２に係合されている。そのため、端フィン４２は、両支軸４７を支点として、短辺Ａに沿う方向（略上下方向）への傾動可能である。
【００５５】
＜傾動伝達機構５０＞
図４及び図５に示すように、傾動伝達機構５０は、中間フィン４３の傾動を両端フィン４１，４２に伝達して、中間フィン４３に同期させて両端フィン４１，４２を中間フィン４３と同じ方向へ傾動させるためのものであり、長辺Ｂに沿う方向についての両側に設けられている。
【００５６】
各傾動伝達機構５０は、上述した第１壁部２６，２７毎の長孔５１，５２を移動許容部として含んでいる。第１壁部２６，２７毎の長孔５１，５２は、上流側部材２１及び下流側部材２２の上記接合部分であって、上下の各第２壁部２８，２９に接近した箇所に設けられている。第１壁部２６，２７毎の上下両長孔５１，５２は、いずれも短辺Ａに沿う方向に延びている。ここで、「短辺Ａに沿う方向」には、短辺Ａと同一の方向にとどまらず、短辺Ａに対し多少傾めに交差する方向も含まれる。本実施形態では、上側の長孔５１は、短辺Ａと略同一の方向に延びているのに対し、下側の長孔５２は上下方向に延びていて、短辺Ａに対し僅かに傾斜している。このため、端フィン４１，４２毎の両支軸４６，４７は、長孔５１，５２内で回動可能であるほか、同長孔５１，５２の延びる方向へ移動可能である。
【００５７】
中間フィン４３の両支軸４５は、最寄りの第１壁部２６，２７よりも外側方（長辺Ｂに沿う方向のうち、リテーナ２０から遠ざかる方向）へ突出している。各支軸４５の突出部分には、上記端フィン４１の支軸４６に対し、下側（中間フィン４３側）から当接するとともに、端フィン４２の支軸４７に対し上側（中間フィン４３側）から当接するカム部材５３が一体傾動可能に設けられている。カム部材５３は、中間フィン４３の支軸４５の上流側となる箇所から外側方へ突出する連結軸５４を有している。これらの中間フィン４３、支軸４５、カム部材５３及び連結軸５４は、射出成形により一体的に形成されている。
【００５８】
また、上側の端フィン４１の両支軸４６は、最寄りの第１壁部２６，２７よりも外側方へ突出している。各支軸４６の突出部分には、その支軸４６を起点として上流側へ延びるアーム５５が形成されている。アーム５５の上流側端部（延出端部）からは、連結軸５６が外側方へ突出している。これらの端フィン４１、支軸４６、アーム５５及び連結軸５６は、射出成形により一体的に形成されている。
【００５９】
同様に、下側の端フィン４２の両支軸４７は、最寄りの第１壁部２６，２７よりも外側方へ突出している。各支軸４７の突出部分には、その支軸４７を起点として上流側へ延びるアーム５７が形成されている。アーム５７の上流側端部（延出端部）からは、連結軸５８が外側方へ突出している。これらの端フィン４２、支軸４７、アーム５７及び連結軸５８は、射出成形により一体的に形成されている。
【００６０】
上記連結軸５４及び上記連結軸５６，５８は、開口２４の短辺Ａに沿う方向に延びる連結ロッド６１によって連結されている。より詳しくは、連結ロッド６１の長さ方向についての３箇所には孔６２があけられており、これらの孔６２に連結軸５４，５６，５８が回動可能に係合されている。そして、上述したアーム５５，５７、カム部材５３、連結軸５４，５６，５８、連結ロッド６１等により、両端フィン４１，４２及び中間フィン４３を機械的に連結するリンク機構が構成されている。
【００６１】
上記カム部材５３は、その上縁部及び下縁部に、プロファイル６３，６４を有している。上側のプロファイル６３は次の条件を満たしている。
（ｉ）図６及び図７に示すように、中間フィン４３が第２壁部２８，２９に平行にされて、端フィン４１の下流側の端部が第２壁部２８に近付けられるとき、プロファイル６３の中間部は、長孔５１において第２壁部２８に近付いた箇所（上端部）で支軸４６に当接する。
【００６２】
（ii）図８及び図９に示すように、中間フィン４３が下流側ほど高くなるように上方へ傾動させられて、端フィン４１の下流側の端部が第２壁部２８に近付く側へ同端フィン４１が傾動させられるとき、プロファイル６３の下流側部は、長孔５１において第２壁部２８から遠ざかった箇所（下端部）で支軸４６に当接する。
【００６３】
（iii ）図１０及び図１１に示すように、中間フィン４３が下流側ほど低くなるように下方へ傾動させられて、端フィン４１の下流側の端部が第２壁部２８から遠ざかる側へ同端フィン４１が傾動させられるとき、プロファイル６３の上流側部は、長孔５１において第２壁部２８に近付いた箇所（上端部）で支軸４６に当接する。
【００６４】
これに対し、下側のプロファイル６４は次の条件を満たしている。
（iv）図６及び図７に示すように、中間フィン４３が第２壁部２８，２９に平行にされて、端フィン４２の下流側の端部が第２壁部２９に近付けられるとき、プロファイル６４の中間部は、長孔５２において第２壁部２９に近付いた箇所（下端部）で支軸４７に当接する。
【００６５】
（ｖ）図８及び図９に示すように、中間フィン４３が下流側ほど高くなるように上方へ傾動させられて、端フィン４２の下流側の端部が第２壁部２９から遠ざかる側へ同端フィン４２が傾動させられるとき、プロファイル６４の上流側部は、長孔５２において第２壁部２９に近付いた箇所（下端部）で支軸４７に当接する。
【００６６】
（vi）図１０及び図１１に示すように、中間フィン４３が下流側ほど低くなるように下方へ傾動させられて、端フィン４２の下流側の端部が第２壁部２９に近付く側へ同端フィン４２が傾動させられるとき、プロファイル６４の下流側部は、長孔５２において第２壁部２９から遠ざかった箇所（上端部）で支軸４７に当接する。
【００６７】
さらに、上側のプロファイル６３においてカム部材５３の当接された支軸４６が、その当接位置よりも第２壁部２８側へ移動するのを規制する規制部が設けられている。この規制部は、下流端被当接部６５及び支軸被当接部６６からなる。下流端被当接部６５は、上側の第２壁部２８の内壁面において、端フィン４１の下流側の端部が当接される箇所である。支軸被当接部６６は、長孔５１の第２壁部２８側の端部（上端部）であって、支軸４６が当接される箇所である。
【００６８】
そして、下流端被当接部６５及び支軸被当接部６６のいずれか一方によって支軸４６の移動が規制される。本実施形態では、端フィン４１の傾動方向によって、支軸４６の移動を規制する規制部（被当接部）の種類が次のように切替えられる。
【００６９】
（Ｉ）図６及び図７に示すように、端フィン４１の下流側の端部及び支軸４６がともに第２壁部２８に近付けられるとき（端フィン４１が第２壁部２８に対し平行にされるとき）には、支軸被当接部６６によって支軸４６の移動が規制される。
【００７０】
（II）図８及び図９に示すように、端フィン４１の下流側の端部が第２壁部２８に近付く側へ同端フィン４１が傾動させられるときには、下流端被当接部６５によって支軸４６の移動が規制される。
【００７１】
（III ）図１０及び図１１に示すように、端フィン４１の下流側の端部が第２壁部２８から離れる側へ同端フィン４１が傾動させられるときには、支軸被当接部６６によって支軸４６の移動が規制される。
【００７２】
また、下側のプロファイル６４においてカム部材５３の当接された支軸４７が、その当接位置よりも第２壁部２９側へ移動するのを規制する規制部が設けられている。この規制部は、下流端被当接部６７及び支軸被当接部６８からなる。下流端被当接部６７は、下側の第２壁部２９の内壁面において、端フィン４２の下流側の端部が当接される箇所である。支軸被当接部６８は、長孔５２の第２壁部２９側の端部（下端部）であって、支軸４７が当接される箇所である。
【００７３】
そして、下流端被当接部６７及び支軸被当接部６８のいずれか一方によって支軸４７の移動が規制される。本実施形態では、端フィン４２の傾動方向によって、支軸４７の移動を規制する規制部（被当接部）の種類が次のように切替えられる。
【００７４】
（IV）図６及び図７に示すように、端フィン４２の下流側の端部及び支軸４７がともに第２壁部２９に近付けられるとき（端フィン４２が第２壁部２９に対し平行にされるとき）には、支軸被当接部６８によって支軸４７の移動が規制される。
【００７５】
（Ｖ）図８及び図９に示すように、端フィン４２の下流側の端部が第２壁部２９から離れる側へ同端フィン４２が傾動させられるときには、支軸被当接部６８によって支軸４７の移動が規制される。
【００７６】
（VI）図１０及び図１１に示すように、端フィン４２の下流側の端部が第２壁部２９に近付く側へ同端フィン４２が傾動させられるときには、下流端被当接部６７によって支軸４７の移動が規制される。
【００７７】
＜上流側フィン群７０＞
図２に示すように、上流側フィン群７０は、リテーナ２０内の上記下流側フィン群４０の上流近傍であって、開口２４の短辺Ａに沿う方向（略上下方向）に延びる複数枚の上流側フィン７１からなる。これらの上流側フィン７１は、いずれも通風路２３に沿う方向に所定の幅を有する偏平細長状に形成されており、長辺Ｂに沿う方向（車幅方向）に互いに離間した状態で配列されている。
【００７８】
各上流側フィン７１の短辺Ａに沿う方向についての両端面には、支軸（図示略）がそれぞれ設けられている。そして、各上流側フィン７１は、両支軸において第２壁部２８，２９に回動可能に支持されている。そのため、各上流側フィン７１は、これらの支軸を支点として開口２４の長辺Ｂに沿う方向（車幅方向）へ傾動可能である。
【００７９】
次に、上記のように構成された本実施形態の空調用レジスタ１５の作用について説明する。
この空調用レジスタ１５では、リテーナ２０の下流端の開口２４が長方形状をなしていて、下流側フィン（中間フィン４３、端フィン４１，４２）の配列される空間がその配列方向に狭い。しかし、本実施形態では、下流側フィンの数が風向き調整のために採り得る最小枚数である３枚とされている。そのため、風向き調整機能が確保されつつ、隣り合う下流側フィン間（中間フィン４３及び端フィン４１，４２間）の間隔（流路）は、充分大きくなっている。
【００８０】
この空調用レジスタ１５では、中間フィン４３及び端フィン４１，４２の各々が支軸４５〜４７を支点として第１壁部２６，２７に対し傾動可能である。これに加え、図５に示すように、端フィン４１の支軸４６は、各第１壁部２６，２７の上流側部材２１及び下流側部材２２間に設けられた長孔５１に沿って、短辺Ａに沿う方向へ移動可能である。また、端フィン４２の支軸４７は、各第１壁部２６，２７の上流側部材２１及び下流側部材２２間に設けられた長孔５２に沿って、短辺Ａに沿う方向へ移動可能である。
【００８１】
ここで、図４に示すように、カム部材５３及び支軸４５を介して中間フィン４３に設けられた連結軸５４と、アーム５５及び支軸４６を介して端フィン４１に設けられた連結軸５６と、アーム５７及び支軸４７を介して端フィン４２に設けられた連結軸５８とは、連結ロッド６１によって連結されている。
【００８２】
また、端フィン４１の支軸４６に対しては、支軸４５を介して中間フィン４３と一体傾動するカム部材５３が、同中間フィン４３側（下側）から当接している。同様に、端フィン４２の支軸４７に対しては、上記カム部材５３が、中間フィン４３側（上側）から当接している。
【００８３】
さらに、カム部材５３の当接された支軸４６が、その当接位置よりも第２壁部２８側へ移動することが規制部（下流端被当接部６５及び支軸被当接部６６）によって規制される。同様に、カム部材５３の当接された支軸４７が、その当接位置よりも第２壁部２９側へ移動することが規制部（下流端被当接部６７及び支軸被当接部６８）によって規制される。
【００８４】
そのため、上記連結ロッド６１を用いた連結、カム部材５３の当接、及び規制部の規制により、支軸４６，４７の長孔５１，５２内での位置と端フィン４１，４２の傾きとが決定される。中間フィン４３が傾動させられない限り、支軸４６，４７が、その決定された位置に保持され、また端フィン４１，４２が、その決定された傾きに保持される。
【００８５】
従って、通風路２３を流れる空気は、中間フィン４３及び端フィン４１間の流路や、中間フィン４３及び端フィン４２間の流路を通過した後、開口２４から吹き出す。空気は、上記流路を通過する際に中間フィン４３及び端フィン４１，４２によって向きを調整される。
【００８６】
図６及び図７は、中間フィン４３が通風方向（第２壁部２８，２９）に対し平行にされた状態を示している。この状態では、上側の端フィン４１の下流側の端部が第２壁部２８に接近させられるとともに、同端フィン４１の支軸４６に対し、カム部材５３のプロファイル６３の中間部が長孔５１において第２壁部２８に近付いた箇所で当接する。また、下側の端フィン４２の下流側の端部が第２壁部２９に接近させられるとともに、同端フィン４２の支軸４７に対し、カム部材５３のプロファイル６４の中間部が長孔５２において第２壁部２９に近付いた箇所で当接する。
【００８７】
そのため、端フィン４１，４２も中間フィン４３と同様、第２壁部２８，２９に対し平行な状態となる。空気は、中間フィン４３及び端フィン４１間の流路や、中間フィン４３及び端フィン４２間の流路を、それらの下流側フィンに沿って流れることで、第２壁部２８，２９に対し平行に流れる。すなわち、空気は、下流側フィン群４０よりも上流側での向きを維持しながら隣り合う下流側フィン間の流路を流れる。そして、空気は、リテーナ２０の下流端の開口２４から第２壁部２８，２９に平行に吹き出す。
【００８８】
上記図６及び図７の状態から、中間フィン４３が図８及び図９に示すように、支軸４５を支点として上方（図中反時計回り方向）へ傾動されると、中間フィン４３は、下流側ほど高くなるように傾斜する。
【００８９】
中間フィン４３の上記傾動は、連結軸５４，５６，５８、連結ロッド６１等を介して両端フィン４１，４２に伝達される。また、各端フィン４１，４２の支軸４６，４７に対するカム部材５３の当接及び規制部の規制は、中間フィン４３の上記傾動に拘らず行なわれる。端フィン４１，４２は、上記のように位置を決定された支軸４６，４７を支点として、中間フィン４３に連動して中間フィン４３と同じ方向へ傾動させられる。
【００９０】
すなわち、上側の端フィン４１については、中間フィン４３の上記傾動に伴い、同端フィン４１の下流側の端部が上側の第２壁部２８に近付いて下流端被当接部６５に当接する。また、カム部材５３のプロファイル６３の下流側部が、上側の長孔５１について上側の第２壁部２８から下方へ遠ざかった位置で支軸４６に下側から当接する。そのため、端フィン４１の上流側の支軸４６が上側の第２壁部２８から下方へ遠ざかる。従って、上側の端フィン４１の下流側の端部と、上流側の支軸４６とが短辺Ａに沿う方向（略上下方向）へ大きく離れる。その結果、上側の端フィン４１は、上流側の端部が上側の第２壁部２８から下方へ遠ざかり、かつ下流側の端部が同第２壁部２８に近付いた傾斜状態、すなわち、中間フィン４３と同様、下流側ほど高くなる傾斜状態となる。
【００９１】
なお、このとき、カム部材５３のプロファイル６３の下流側部の当接された支軸４６が、その当接位置よりも上側の第２壁部２８側へ移動しようとしても、その移動は、端フィン４１の下流側の端部の当接した上側の下流端被当接部６５によって規制される。
【００９２】
また、下側の端フィン４２については、中間フィン４３の上記傾動に伴い、同端フィン４２の下流側の端部が下側の第２壁部２９から上方へ遠ざかる。このときには、カム部材５３のプロファイル６４の上流側部が、下側の長孔５２について第２壁部２９に近付いた位置で支軸４７に上側から当接する。そのため、端フィン４２の上流側の支軸４７が下側の第２壁部２９に近付いて、長孔５２の支軸被当接部６８に当接する。従って、下側の端フィン４２の下流側の端部と、上流側の支軸４７とが短辺Ａに沿う方向（略上下方向）へ大きく離れる。その結果、下側の端フィン４２は、上流側の端部が下側の第２壁部２９に近付き、かつ下流側の端部が同第２壁部２９から上方へ遠ざかった傾斜状態、すなわち、中間フィン４３と同様、下流側ほど高くなる傾斜状態となる。
【００９３】
なお、このとき、カム部材５３のプロファイル６４の上流側部の当接された支軸４７が、その当接位置よりも下側の第２壁部２９側へ移動しようとしても、その移動は、支軸４７の当接した支軸被当接部６８によって規制される。
【００９４】
そのため、通風路２３を流れる空気は、上記のように傾動させられた中間フィン４３及び端フィン４１，４２間の流路を、それらの下流側フィンに沿って流れる過程で向きを変えられて開口２４から吹き出す。上記のように、端フィン４１，４２が中間フィン４３と同様に、下流側ほど高くなるよう傾斜した状態となることから、空気は狙いとする方向である斜め上方へ的確に吹き出す。
【００９５】
上記とは逆に、上記図６及び図７の状態から、中間フィン４３が図１０及び図１１に示すように、支軸４５を支点として下方（図中時計回り方向）へ傾動されると、中間フィン４３は、下流側ほど低くなるように傾斜する。
【００９６】
中間フィン４３の上記傾動は、連結軸５４，５６，５８、連結ロッド６１等を介して各端フィン４１，４２に伝達される。また、端フィン４１，４２の支軸４６，４７に対するカム部材５３の当接及び規制部の規制は、中間フィン４３の上記傾動に拘らず行なわれる。端フィン４１，４２は、上記のように位置を決定された支軸４６，４７を支点として、中間フィン４３に連動して中間フィン４３と同じ方向へ傾動させられる。
【００９７】
すなわち、上側の端フィン４１については、中間フィン４３の上記傾動に伴い、同端フィン４１の下流側の端部が上側の第２壁部２８から下方へ遠ざかる。このときには、カム部材５３の上側のプロファイル６３の上流側部が上側の長孔５１について上側の第２壁部２８に近付いた位置で支軸４６に当接する。そのため、端フィン４１の上流側の支軸４６が上側の第２壁部２８に近付いて、長孔５１の支軸被当接部６６に当接する。従って、上側の端フィン４１の下流側の端部と、上流側の支軸４６とが短辺Ａに沿う方向（略上下方向）へ大きく離れる。その結果、上側の端フィン４１は、上流側の端部が上側の第２壁部２８に近付き、かつ下流側の端部が同第２壁部２８から下方へ遠ざかった傾斜状態、すなわち、中間フィン４３と同様、下流側ほど低くなる傾斜状態となる。
【００９８】
なお、このとき、カム部材５３のプロファイル６３の上流側部の当接された支軸４６が、その当接位置よりも上側の第２壁部２８側へ移動しようとしても、その移動は、支軸４６の当接した支軸被当接部６６によって規制される。
【００９９】
また、下側の端フィン４２については、中間フィン４３の上記傾動に伴い、同端フィン４２の下流側の端部が下側の第２壁部２９に近付いて下流端被当接部６７に当接する。また、カム部材５３のプロファイル６４の下流側部が下側の長孔５２について下側の第２壁部２９から上方へ遠ざかった位置で支軸４７に上側から当接する。そのため、端フィン４２の上流側の支軸４７が下側の第２壁部２９から上方へ遠ざかる。従って、下側の端フィン４２の下流側の端部と、上流側の支軸４７とが短辺Ａに沿う方向（略上下方向）へ大きく離れる。その結果、下側の端フィン４２は、上流側の端部が下側の第２壁部２９から上方へ遠ざかり、かつ下流側の端部が同第２壁部２９に近付いた傾斜状態、すなわち、中間フィン４３と同様、下流側ほど低くなる傾斜状態となる。
【０１００】
なお、このとき、カム部材５３のプロファイル６４の下流側部の当接された支軸４７が、その当接位置よりも下側の第２壁部２９側へ移動しようとしても、その移動は、端フィン４２の下流側の端部の当接した下側の下流端被当接部６７によって規制される。
【０１０１】
そのため、通風路２３を流れる空気は、上記のように傾動させられた中間フィン４３及び端フィン４１，４２間の流路を、それらの下流側フィンに沿って流れる過程で向きを変えられて開口２４から吹き出す。上記のように、端フィン４１，４２が中間フィン４３と同様に、下流側ほど低くなるように傾斜した状態となることから、空気は狙いとする方向である斜め下方へ的確に吹き出す。
【０１０２】
以上詳述した本実施形態によれば、次の効果が得られる。
（１）開口２４の短辺Ａに沿う方向に延び、端フィン４１，４２における支軸４６，４７の同方向への移動を許容する長孔５１，５２を移動許容部として第１壁部２６，２７に設ける。端フィン４１，４２の支軸４６，４７に対し中間フィン４３側から当接するカム部材５３を中間フィン４３の支軸４５に一体傾動可能に設ける。カム部材５３のプロファイル６３，６４の当接された上記支軸４６，４７が、その当接位置よりも第２壁部２８，２９側へ移動するのを規制する規制部（下流端被当接部６５，６７及び支軸被当接部６６，６８）を設ける。そして、カム部材５３の傾動に伴い、支軸４６，４７に対するカム部材５３のプロファイル６３，６４の当接箇所を変化させることにより、長孔５１，５２における支軸４６，４７の位置を変化させるようにしている。換言すると、空調用レジスタ１５を、端フィン４１，４２が、あたかも複数の支軸４６，４７を有し、それらの支軸４６，４７を支点として傾動するような構成にしている。
【０１０３】
そのため、背景技術（特許文献１に記載されたもの）に比べ、部品点数が少なく簡単な構造でありながら、中間フィン４３の傾動に連動して、端フィン４１，４２を中間フィン４３と同じ方向へ傾動させることができ、空気を狙いとする方向へ的確に吹き出させる、すなわち、良好な指向性を確保することができる。
【０１０４】
また、端フィン４１，４２の支軸４６，４７を、短辺Ａに沿う方向へ延びる長孔５１，５２内で移動させることができる。このことから、同支軸４６，４７を第２壁部２８，２９に対し近付けたり遠ざけたりすることで、端フィン４１，４２と第２壁部２８，２９との間に同端フィン４１，４２の作動領域を確保することができるようになり、リテーナ２０を、短辺Ａに沿う方向（略上下方向）に大きくしなくてもすむ。
【０１０５】
従って、ベゼル２２Ａの開口２４を横長にして空調用レジスタ１５の意匠性を高めることができるだけでなく、インストルメントパネル１１に占める空調用レジスタ１５のスペースを小さくし、インストルメントパネル１１内の他の機器の設置スペースを確保することができる。
【０１０６】
（２）上下一対の端フィン４１，４２と、それらの間に配置された１枚の中間フィン４３といった３枚の下流側フィンのみによって下流側フィン群４０を構成している。この枚数（３枚）は、風向き調整のために必要な最小枚数である。
【０１０７】
そのため、風向き調整機能を確保しつつ隣り合う下流側フィン間（中間フィン４３及び端フィン４１，４２間）の間隔を効率よく大きくすることができる。
（３）中間フィン４３が第２壁部２８，２９に平行にされたとき、下流側の端部が第２壁部２８，２９に接近した端フィン４１，４２の支軸４６，４７に対し、カム部材５３のプロファイル６３，６４を、長孔５１，５２について第２壁部２８，２９に近付いた箇所で当接させるようにしている。
【０１０８】
そのため、中間フィン４３に加え、上下両端フィン４１，４２を、第２壁部２８，２９に対し平行又はそれに近い状態にし、空気を、リテーナ２０の下流端の開口２４から第２壁部２８，２９に平行に吹き出させることができる。
【０１０９】
（４）端フィン４１，４２の支軸４６，４７を、同端フィン４１，４２の上流側の端部に設ける。端フィン４１，４２の下流側の端部が第２壁部２８，２９に近付く側へ同端フィン４１，４２が傾動させられるときには、カム部材５３を、長孔（移動許容部）５１，５２について第２壁部２８，２９から遠ざかった位置で支軸４６，４７に当接させる。また、端フィン４１，４２の下流側の端部が第２壁部２８，２９から遠ざかる側へ同端フィン４１，４２が傾動させられるときには、カム部材５３を、長孔（移動許容部）５１，５２について第２壁部２８，２９に近付いた箇所で支軸４６，４７に当接させるようにしている。
【０１１０】
そのため、端フィン４１，４２を、その下流側の端部と上流側の支軸４６，４７とが短辺Ａに沿う方向へ大きく離れるような傾斜状態にすることができる。
（５）リテーナ２０（第２壁部２８，２９）の内壁面に設けられ、かつ端フィン４１，４２の下流側の端部が当接される下流端被当接部６５，６７と、長孔５１，５２の第２壁部２８，２９側の端部に設けられ、かつ端フィン４１，４２の支軸４６，４７が当接される支軸被当接部６６，６８とによって、端フィン４１，４２毎の規制部を構成する。そして、端フィン４１，４２の下流側の端部が第２壁部２８，２９から離れる側へ同端フィン４１，４２が傾動させられるときには、支軸被当接部６６，６８によって支軸４６，４７の移動を規制する。また、端フィン４１，４２の下流側の端部が第２壁部２８，２９に近付く側へ同端フィン４１，４２が傾動させられるときには、下流端被当接部６５，６７によって支軸４６，４７の移動を規制するようにしている。
【０１１１】
そのため、下流側の端部が第２壁部２８，２９から遠ざかる側へ端フィン４１，４２が傾動する場合と近付く側へ端フィン４１，４２が傾動する場合とで、すなわち、端フィン４１，４２の傾動方向に応じて、下流端被当接部６５，６７及び支軸被当接部６６，６８について、支軸４６，４７の移動を規制する被当接部を適切に切替えることができる。
【０１１２】
（６）中間フィン４３、支軸４５、カム部材５３及び連結軸５４を、射出成形により一体的に形成している。また、端フィン４１、支軸４６、アーム５５及び連結軸５６を、射出成形により一体的に形成している。さらに、端フィン４２、支軸４７、アーム５７及び連結軸５８を、射出成形により一体的に形成している。
【０１１３】
このように、傾動伝達機構５０の構成部品を射出成形によって一体的に形成しているため、新規な構成を追加することに伴うコストアップを最小に抑えることができる。
なお、本発明は次に示す別の実施形態に具体化することができる。
【０１１４】
・カム部材５３の当接された支軸４６，４７が、その当接位置よりも第２壁部２８，２９側へ移動するのを規制する規制部の構成を、上記実施形態とは異なるものに変更してもよい。
【０１１５】
図１２はその一例（変形例）を示している。この変形例では、図１２に示すように、カム部材５３に、上下各端フィン４１，４２の支軸４６，４７が挿通される上下一対のガイド孔７５が設けられている。このカム部材５３は、各ガイド孔７５のうち最寄りの第２壁部２８，２９から遠い側の内壁面７５Ａにおいて、支軸４６，４７に対し中間フィン４３側から当接する。また、カム部材５３は、各ガイド孔７５のうち最寄りの第２壁部２８，２９に近い側の内壁面７５Ｂを規制部とし、上記内壁面７５Ａの当接された支軸４６，４７が、その当接位置よりも最寄りの第２壁部２８，２９側へ移動するのを規制する。
【０１１６】
なお、図１２において、前述した実施形態で説明したものと同様の要素には同一の符号が付されている。
この変形例によると、支軸４６，４７に対しては、ガイド孔７５のうち最寄りの第２壁部２８，２９から遠い側の内壁面７５Ａが中間フィン４３側から当接される。また、このように第２壁部２８，２９から遠い側の内壁面７５Ａが当接された支軸４６，４７は、その当接位置よりも第２壁部２８，２９側へ移動することを、ガイド孔７５のうち最寄りの第２壁部２８，２９に近い側の内壁面７５Ｂ（規制部）によって規制される。
【０１１７】
そのため、支軸４６，４７に対するカム部材５３の当接と、規制部の規制と、連結ロッド６１を用いた連結とにより、支軸４６，４７の長孔５１，５２内での位置と端フィン４１，４２の傾きとが決定される。そして、中間フィン４３が傾動されない限り、端フィン４１，４２の支軸４６，４７が、その決定された位置に保持され、また端フィン４１，４２が、その決定された傾きに保持される。
【０１１８】
中間フィン４３がその支軸４５を支点として傾動されると、その傾動は、連結軸５４，５６，５８、連結ロッド６１等を介して各端フィン４１，４２に伝達される。また、端フィン４１，４２の支軸４６，４７に対するカム部材５３（ガイド孔７５のうち第２壁部２８，２９から遠い側の内壁面７５Ａ）の当接と、規制部（ガイド孔７５のうち第２壁部２８，２９に近い側の内壁面７５Ｂ）による規制とは、中間フィン４３の傾動に拘らず行なわれる。
【０１１９】
・本発明は、開口２４（吹出口）が縦長となるように配置される空調用レジスタにも適用可能である。この場合、リテーナ２０において、上下方向に相対向する壁部が第１壁部２６，２７となり、車幅方向に相対向する壁部が第２壁部２８，２９となる。下流側フィン（端フィン４１，４２及び中間フィン４３）は車幅方向に配列され、上流側フィン７１は上下方向に配列されることとなる。
【０１２０】
・下流側フィン群４０は、一対の端フィン４１，４２とその間に配置される複数枚の中間フィンからなるものであってもよい。
・上流側フィン７１等、本発明の特徴部分とは直接関係のない部材、箇所等については、割愛したり、形状・数等を変更したりする等、適宜に変更してもよい。
【０１２１】
・中間フィン４３及び上下両端フィン４１，４２の各上流側の端部に代えて下流側の端部に連結軸が設けられ、それらの連結軸において中間フィン４３及び上下両端フィン４１，４２が連結ロッドによって連結されてもよい。
【０１２２】
・本発明は、車室内においてインストルメントパネルとは異なる箇所に配設される空調用レジスタにも適用可能である。
・本発明の空調用レジスタは、空調装置等の空気の吹出口に設けられ、室内に吹き出す空気の向きを調整するものであれば、車両に限らず広く適用可能である。
【符号の説明】
【０１２３】
１５…空調用レジスタ、２０…リテーナ、２３…通風路、２４…開口、２６，２７…第１壁部、２８，２９…第２壁部、４０…下流側フィン群（フィン群）、４１，４２…端フィン、４３…中間フィン、４５〜４７…支軸、５１，５２…長孔（移動許容部）、５３…カム部材、５４，５６，５８…連結軸、６１…連結ロッド、６５，６７…下流端被当接部（規制部）、６６，６８…支軸被当接部（規制部）、７５…ガイド孔、７５Ａ，７５Ｂ…内壁面、Ａ…短辺、Ｂ…長辺。
【図１】
0005655719.tif 000002
【図２】
0005655719.tif 000003
【図３】
0005655719.tif 000004
【図４】
0005655719.tif 000005
【図５】
0005655719.tif 000006
【図６】
0005655719.tif 000007
【図７】
0005655719.tif 000008
【図８】
0005655719.tif 000009
【図９】
0005655719.tif 000010
【図１０】
0005655719.tif 000011
【図１１】
0005655719.tif 000012
【図１２】
0005655719.tif 000013
【図１３】
0005655719.tif 000014
【図１４】
0005655719.tif 000015